(57)【要約】      （修正有）【課題】配管の固定方向を選択できながら緩むことなく確実強固に連結でき、かつ、製造が簡単容易でコスト安価なねじ込み式管継手を提供する。【解決手段】長さ方向中間部の外周に中間ねじ部２ａを有し、かつ中間ねじ部２ａの両端部にＯリング５，６の溝部２ｂ，２ｃを介して上記中間ねじ部２ａの外形とピッチが同一の接続ねじ部２ｄ，２ｅを備えてなる軸管２と、中間ねじ部２ａに軸方向に進退動可能に螺着される一対の漏止め兼締付け用のナット体３，４とからねじ込み式管継手１を構成する。【選択図】図１
0003150072.tif 000002
【実用新案登録請求の範囲】
【請求項１】
長さ方向中間部の外周に中間ねじ部２ａを有し、かつ中間ねじ部２ａの両端部にシール溝部２ｂ，２ｃを介して上記中間ねじ部２ａの外形とピッチが同一の接続ねじ部２ｄ，２ｅを備えてなる軸管２と、中間ねじ部２ａに軸方向に進退動可能に螺着される一対の漏止め兼締付け用のナット体３，４とから構成されていることを特徴とするねじ込み式管継手。
【請求項２】
両シール溝部２ｂ，２ｃに弾性を有するシール部材５，６が埋設状に保持されていると共に、シール部材５，６とナット体３，４との間に座板７，８が介装され、ナット体３，４の接続ネジ部２ｄ，２ｅ側への締付けによりシール部材５，６が弾性変形しながら接続ネジ部２ｄ，２ｅ側へ押圧されるように構成されていることを特徴とする請求項１記載のねじ込み式管継手。
【考案の詳細な説明】
【技術分野】
【０００１】  本考案は、配管同士或いは機器と配管などを接続するために使用するねじ込み式管継手に関するものである。
【背景技術】
【０００２】  従来、例えばこの種のねじ込み式管継手としては、たとえば、図３に示すように、軸管１１の両端部にねじ部１１ａ，１１ａが形成され、かつ中間部にナット部１１ｂが一体固定された構成となっている。【０００３】  そして、使用に際しては、各ねじ部１１ａ，１１ａにワッシャー１２，１３とＯリング１４，１５を設けた状態で、まず、一端側ねじ部１１ａを一方側配管１４に螺着し、その後、他端側ねじ部１１ａに他方側配管１５をねじ込んで固定するようにしている。
【考案の開示】
【考案が解決しようとする課題】
【０００４】  ところで、上記した従来のねじ込み式管継手にあっては、一端側ねじ部１１ａに一方側配管１６をねじ込んで固定した後、残りの他端側ねじ部１１ａに他方側配管１７をねじ込んで固定する場合、ナット部１１ｂによる締付けが行えないことから、両配管１６，１７を固定する作業が非常に煩雑で強固な固定が行えにくい問題を有していた。また、たとえばＬ字状に屈曲した配管１７などを所定の方向に向かうように固定する場合、固定時における配管１６，１７の方向を所定の方向に一致させるといったことも困難であった。さらに、軸管１１の中間部にナット部１１ｂが一体成形された複雑な構造上、その製造に際し複雑で高価な金型や面倒な切削加工を必要とし、その製造が複雑でコスト高となる問題があった。【０００５】  そこで本考案は、軸管と二つのナット体との組合せ構成とすることにより、配管の固定方向を選択できながら緩むことなく確実強固に連結でき、かつ、製造が簡単容易でコスト安価に提供できるねじ込み式管継手の提供を課題とする。
【課題を解決するための手段】
【０００６】  上記問題を解決するため、本願の請求項１記載の考案は、長さ方向中間部の外周に中間ねじ部２ａを有し、かつ中間ねじ部２ａの両端部にシール溝部２ｂ，２ｃを介して上記中間ねじ部２ａの外形とピッチが同一の接続ねじ部２ｄ，２ｅを備えてなる軸管２と、中間ねじ部２ａに軸方向に進退動可能に螺着される一対の漏止め兼締付け用のナット体３，４とから構成されていることを特徴とする。【０００７】  また、本願の請求項２記載の考案は、請求項１記載の構成に加えて、両シール溝部２ｂ，２ｃに弾性を有するシール部材５，６が埋設状に保持されていると共に、シール部材５，６とナット体３，４との間に座板７，８が介装され、ナット体３，４の接続ネジ部２ｄ，２ｅ側への締付けによりシール部材５，６が弾性変形しながら接続ネジ部２ｄ，２ｅ側へ押圧されるように構成されていることを特徴とする。
【考案の効果】
【０００８】  本考案によれば、上記した構成により、たとえば配管９，１０同士を連結する場合、一端側接続ねじ部２ｄを一方側配管９に螺着したうえで、一方ナット体３の一方側配管９への締付けることによって軸管２と一方側配管９とを緩むことなく確実強固に固定でき、また、他端側配管１０についても同様に他端側接続ねじ部２ｅに他方側配管１０を螺着したうえで、他方ナット体４の他端側配管１０への締付けることによって軸管２と他方側配管１０とを緩むことなく確実強固に固定できる。しかも、漏止め兼締付け用のナット体３，４により後締め固定する構成であるため、たとえばＬ字状に屈曲した配管を結合する場合、ナット体３，４の締付けで軸管２と配管とを固定するときに、配管の最終的な固定方向を任意に選択しそのうえで締付け固定することが可能となる。その上、外形とピッチが同一のねじ部２ａ，２ｄ，２ｅと一対の溝部２ｂ，２ｃと備えただけの簡素な形状の軸管２とナット体３，４とを個別に製造できるので、その製造が簡単容易で量産に適しコストを安価にできる。【０００９】  また、シール溝部２ｂ，２ｃに弾性を有するシール部材７，８が埋設状に保持されていると共に、シール部材７，８とナット体３，４との間に座板７，８が介装され、ナット体３，４の接続ネジ部２ｄ，２ｅ側への締付けによりシール部材７，８が弾性変形しながら接続ネジ部２ｄ，２ｅ側へ押圧されるように構成すれば、ナット体３，４による締付け時、座板７，８を介してシール部材５，６を接続ネジ部２ｄ，２ｅ側へ弾性変形させて配管９，１０と軸管２との結合部分を確実に密封閉鎖できるのでこのましい。
【考案を実施するための形態】
【００１０】  以下、本考案の実施の形態を図に基づいて説明する。
【００１１】  図１は、本考案のねじ込み式管継手を示し、該管継手１は、長さ方向中間部の外周に中間ねじ部２ａを有し、かつ中間ねじ部２ａの両端部に後記するシール部材の溝部２ｂ，２ｃを介して上記中間ねじ部２ａの外形とピッチが同一の接続ねじ部２ｄ，２ｅを備えてなる軸管２と、中間ねじ部２ａに軸方向に進退動可能に螺着される一対の漏止め兼締付け用のナット体３，４とから構成されている。軸管２は直線状で、その中心部には軸方向に貫通する連通孔２ｆが形成されている。
【００１２】  また、各溝部２ｂ，２ｃには弾性を有するシール部材としてのＯリング５，６が埋設状に保持されていると共に、Ｏリング５，６とナット体３，４との間に座板としてのワッシャー７，８が介装され、ナット体３，４の接続ネジ部２ｄ，２ｅ側への締付けによりＯリング５，６が弾性変形しながら接続ネジ部２ｄ，２ｅ側へ押圧されるように構成されている。
【００１３】  軸管２及びナット３，４は、いずれもパーツホーマーにより簡単容易にかつコスト安価に製造される。ここで、中間ねじ部２ａと接続ねじ部２ｄ，２ｅとはその外形とピッチが同一の共通のねじ形状で同時にねじ加工されるのであり、またナット３，４やワッシャー７，８についてもそれぞれ同一サイズの部品を使用している。
【００１４】  図１において符号９，１０はねじ込み式管継手１で連結される二つの配管であって、各配管９，１０の先端口部には接続ねじ部２ｄ，２ｅに螺合可能なねじ部９ａ，１０ａが形成されている。
【００１５】  次に、ねじ込み式管継手１の作用について説明する。
【００１６】  まず、図２において仮想線で示すように予め一対の漏止め兼締付け用のナット体３，４を中間ねじ部２ａの長さ方向中央よりに移動させておく一方、各溝部２ｂ，２ｃに弾性を有するシール部材としてのＯリング５，６を埋設状に保持し、かつＯリング５，６とナット体３，４との間にワッシャー７，８を介装しておく。
【００１７】  次に、たとえば二つの配管９，１０を連結する場合、図１に示すように一端側接続ねじ部２ｄを一方側配管９に螺着し、その後、一方ナット体３の一方側配管９への締付けにより緩み止めを行って確実強固に固定する。また、一方ナット体３による締付け時には、ワッシャー７を介してＯリング５が一方側配管９へ弾性変形しながら押圧され、一方側配管９と軸管２との結合部分における隙間がＯリング６により確実に密封閉鎖される。
【００１８】  然る後、他端側配管１０についても同様に他端側接続ねじ部２ｅに他方側配管１０を螺着し、その後、他方ナット体４の他端側配管１０への締付けにより緩み止めを行って確実強固に固定する。また、他方ナット体３による締付け時には、ワッシャー８を介してＯリング６が弾性変形しながら押圧され、他方側配管１０と軸管２との結合部分における隙間がＯリング６により確実に密封閉鎖される。
【００１９】  また、たとえばＬ字状に屈曲した配管などを結合する場合には、ナット体３，４の締付けで軸管２に配管を固定する際に、配管の最終的な固定方向を任意に選択しそのうえでナット体３，４を締付けるようにすれば、Ｌ字状に屈曲した配管を最適な状態に取付けることが可能となる。
【００２０】  以上のように本考案によれば、たとえば配管９，１０同士を連結する場合、一端側接続ねじ部２ｄを一方側配管９に螺着したうえで、一方ナット体３の一方側配管９への締付けによって軸管２と一方側配管９とを緩むことなく確実強固に固定でき、また、他端側配管１０についても同様に他端側接続ねじ部２ｃに他方側配管１０を螺着したうえで、他方ナット体４の他端側配管１０への締付けによって軸管２と他方側配管１０とを緩むことなく確実強固に固定できる。しかも、上記各ナット体３，４の締付け時、ワッシャー７，８を介してＯリング５，６が配管９，１０側に弾性変形しながら押圧され、配管９，１０と軸管２との結合部分の隙間が確実に密封閉鎖される。さらに、漏止め兼締付け用のナット体３，４により後締め固定する構成であるため、配管９，１０の最終的な固定方向も任意に選択することが可能となる。その上、外形とピッチが同一のねじ部２ａ，２ｄ，２ｅと一対の溝部２ｂ，２ｃと備えただけの簡素な形状の軸管２とナット体３，４とを個別に製造できるので、その製造が簡単容易で量産に適しコストを安価にできる。
【００２１】  上記した実施の形態では配管９，１０同士の接続について説明したけれども、何ら配管同士の接続に限られるものではなく、たとえば機器と配管などのいろいろな接続ケースについて幅広く使用できること勿論である。
【図面の簡単な説明】
【００２２】
【図１】  本考案に係るねじ込み式管継手の使用状態を示す一部切り欠き正面図である。
【図２】  同ねじ込み式管継手の分解図である。
【図３】  従来の説明図である。
【符号の説明】
【００２３】１          ねじ込み式管継手
２          軸管
２ａ        中間ねじ部
２ｂ，２ｃ  溝部
２ｄ，２ｅ  接続ねじ部
３          ナット体
４          ナット体
５          Ｏリング（シール部材）
６          Ｏリング（シール部材）
７          ワッシャー（座板）
８          ワッシャー（座板）
【図１】
0003150072.tif 000003
【図２】
0003150072.tif 000004
【図３】
0003150072.tif 000005